(57)【要約】【課題】多くの異なる外形の携帯式電子装置に装着可能な汎用性が高い外付けレンズの装着構造を提供すること。【解決手段】本発明に係る外付けレンズの装着構造は、外付けレンズを、内蔵カメラを有する携帯式電子装置に装着するために用いられる。前記外付けレンズの装着構造は、取付部品及びスライド部品を備え、前記取付部品には貫通穴が設けられ、前記取付部品は、前記携帯式電子装置に着脱可能に、且つスライド可能に装着され、前記取付部品をスライドさせることで、前記貫通穴の位置を内蔵された前記カメラの位置に合わせ、前記スライド部品は、前記貫通穴の延伸方向に沿って前記取付部品にスライド可能に装着され、前記外付けレンズは、前記スライド部品に固定され、前記スライド部品をスライドさせることで、前記外付けレンズの位置と前記内蔵カメラの位置とを合わせる。【選択図】図２
2013097381.tif 000002
【特許請求の範囲】
【請求項１】
外付けレンズを、内蔵カメラを有する携帯式電子装置に装着するための外付けレンズの装着構造であって、
前記外付けレンズの装着構造は、取付部品及びスライド部品を備え、前記取付部品には貫通穴が設けられ、前記取付部品は、前記携帯式電子装置に着脱可能に且つスライド可能に装着され、前記取付部品をスライドさせることで、前記貫通穴の位置を前記内蔵カメラの位置に合わせ、前記スライド部品は、前記取付部品に前記貫通穴の延伸方向に沿ってスライド可能に装着され、前記外付けレンズは、前記スライド部品に固定され、前記スライド部品をスライドさせることで、前記外付けレンズの位置と前記内蔵カメラの位置とを合わせることを特徴とする外付けレンズの装着構造。
【請求項２】
前記スライド部品には、前記取付部品の貫通穴に対応する螺合穴が設けられ、前記外付けレンズは、前記螺合穴に螺着され、前記スライド部品が前記取付部品に装着された後、前記螺合穴は、前記貫通穴と重なることを特徴とする請求項１に記載の外付けレンズの装着構造。
【請求項３】
前記外付けレンズの装着構造は、第一締付部品をさらに備え、前記第一締付部品は、第一ボルトを備え、前記取付部品には、該取付部品を貫通する第一螺子穴が設けられ、前記第一ボルトは、前記第一螺子穴に螺合され、且つ前記携帯式電子装置の片面に当接されることを特徴とする請求項１または２に記載の外付けレンズの装着構造。
【請求項４】
前記第一締付部品は、第一ゴムマットをさらに備え、前記第一ゴムマットは、前記第一ボルトの前記携帯式電子装置に向かう一端に取り付けられ、前記第一ボルトを前記取付部品に螺合した後、該第一ボルトを回転させて、前記第一ゴムマットを前記携帯式電子装置の表面に緊密に当接させることによって、前記外付けレンズの装着構造を前記携帯式電子装置に安定して装着することを特徴とする請求項３に記載の外付けレンズの装着構造。
【請求項５】
前記取付部品は、連接部と、前記連接部の一端から折り曲げられて延伸する固定片と、前記連接部の他端に垂直に連接されるレンズ装着部と、を備え、前記固定片及び前記レンズ装着部は、前記連接部の相反する両側で互いに対面して位置し、前記固定片と前記レンズ装着部との間には、第一凹溝が形成され、前記取付部品全体は、前記第一凹溝を介して前記携帯式電子装置の上端を挟むように、該携帯式電子装置にスライド可能に装着されることを特徴とする請求項１から４のいずれか一項に記載の外付けレンズの装着構造。
【請求項６】
前記レンズ装着部は、底板と、前記底板の互いに反対側に位置する両辺から垂直に延伸し、且つ前記底板の中央部に向かって所定の長さに折り曲げられて延伸している２つの側壁と、２つの前記側壁の各々の一端を互いに連接する端壁と、を備え、前記底板、前記側壁及び前記端壁によって、前記スライド部品を収納するためのスライド許容空間が形成され、前記底板と２つの前記側壁との間には、第二凹溝がそれぞれ形成され、前記スライド部品の両端は、前記第二凹溝にそれぞれスライド可能に収納されることを特徴とする請求項５に記載の外付けレンズの装着構造。
【請求項７】
前記外付けレンズの装着構造は、第二締付部品をさらに備え、該第二締付部品は、第二ボルト及び該第二ボルトの前記取付部品に向かう端部に取り付けられる第二ゴムマットを備え、前記スライド部品には、第二螺子穴が設けられ、前記第二ボルトは、前記第二螺子穴に螺合され、前記第二ゴムマットは、前記レンズ装着部の前記底板に緊密に当接され、前記スライド部品の前記レンズ装着部に対する移動量は、前記第二ゴムマットと前記底板との間の摩擦力によってコントロールされることを特徴とする請求項６に記載の外付けレンズの装着構造。
【請求項８】
本体と、前記本体に着脱可能に、且つスライド可能に装着される請求項１から７のいずれか一項に記載の外付けレンズの装着構造と、前記外付けレンズの装着構造に固定される外付けレンズと、前記本体に内蔵されたカメラと、を備える携帯式電子装置。
【発明の詳細な説明】
【技術分野】
【０００１】
本発明は、外付けレンズの装着構造に関し、特に携帯式電子装置に設置される外付けレンズの装着構造及びこれを備えた携帯式電子装置に関するものである。
【背景技術】
【０００２】
携帯電話及びダブレットパソコン等の携帯式電子装置に内蔵されたカメラの高画素化に伴い、前記携帯式電子装置の内蔵カメラと組み合わせて、遠景を撮影するために用いる外付け用超小型（ｍｉｎｉ）望遠レンズが開発された。この望遠レンズは、一般的に、特定の前記携帯式電子装置の少なくとも２つの隣接する側壁に係合されている係合構造を介して、携帯式電子装置に設置固定される。
【発明の概要】
【発明が解決しようとする課題】
【０００３】
しかし、従来の係合構造には制限があり、異なる携帯式電子装置は、その外形のサイズが各々異なるため、前記係合構造を利用して望遠レンズを固定する際、特定の携帯式電子装置にしか該望遠レンズを固定できない。つまり、従来の係合構造は汎用性が低い。
【０００４】
本発明は、上記課題を解決するものであり、多くの異なる外形の携帯式電子装置に装着可能な汎用性が高い外付けレンズの装着構造を提供することを目的とする。
【０００５】
また、本発明は、前記外付けレンズの装着構造を備えた携帯式電子装置を提供することを目的とする。
【課題を解決するための手段】
【０００６】
上記の目的を達成するために、本発明に係る外付けレンズの装着構造は、外付けレンズを、内蔵カメラを有する携帯式電子装置に装着するために用いられる。前記外付けレンズの装着構造は、取付部品及びスライド部品を備え、前記取付部品には貫通穴が設けられ、前記取付部品は、前記携帯式電子装置に着脱可能に、且つスライド可能に装着され、前記取付部品をスライドさせることで、前記貫通穴の位置を前記内蔵カメラの位置に合わせ、前記スライド部品は、前記取付部品に前記貫通穴の延伸方向に沿ってスライド可能に装着され、前記外付けレンズは、前記スライド部品に固定され、前記スライド部品をスライドさせることで、前記外付けレンズの位置と前記内蔵カメラの位置とを合わせる。
【０００７】
また、本発明に係る携帯式電子装置は、本体と、前記本体に着脱可能に、且つスライド可能に装着される外付けレンズの装着構造と、前記外付けレンズの装着構造に固定される外付けレンズと、前記本体に内蔵されたカメラと、を備える。前記外付けレンズの装着構造は、取付部品及びスライド部品を備え、前記取付部品には貫通穴が設けられ、前記取付部品は、前記携帯式電子装置に着脱可能に、且つスライド可能に設けられ、前記取付部品をスライドさせることで、前記貫通穴の位置を内蔵された前記カメラの位置に合わせ、前記スライド部品は、前記取付部品に前記貫通穴の延伸方向に沿ってスライド可能に装着され、前記外付けレンズは、前記スライド部品に固定され、前記スライド部品をスライドさせることで、前記外付けレンズの位置と内蔵された前記カメラの位置とを合わせる。
【発明の効果】
【０００８】
本発明の外付けレンズの装着構造は、取付部品及びスライド部品を備え、該外付けレンズの装着構造によって、外付けレンズを異なる携帯式電子装置に固定する場合、前記取付部品の携帯式電子装置に対する位置及び前記スライド部品の前記取付部品に対する位置を調節することによって、前記外付けレンズと前記携帯式電子装置に内蔵されたカメラとの位置を合わせることができるため、使用に便利である。また、前記外付けレンズの装着構造は、前記取付部品を介して、前記携帯式電子装置の本体に着脱可能に設けられ、且つ前記取付部品に螺着される締付部品を回転させることで、前記取付部品を前記携帯式電子装置の本体から取り外したり、又は前記締付部品が前記本体を固定する強さを調節したりすることができる。従って、本発明の外付けレンズの装着構造は、外付けレンズを、異なる外形の携帯式電子装置に固定することができるため、汎用性が高い。
【図面の簡単な説明】
【０００９】
【図１】本発明の実施形態に係る携帯式電子装置の斜視図である。
【図２】図１に示した携帯式電子装置を別の視点から見た斜視図である。
【図３】図１に示した携帯式電子装置の分解図である。
【図４】図３に示した携帯式電子装置を別の視点から見た分解図である。
【図５】図２に示した携帯式電子装置のＶ−Ｖ線に沿った断面図である。
【発明を実施するための形態】
【００１０】
図１及び図２に示したように、本発明の実施形態に係る携帯式電子装置１００は、本体１０と、外付けレンズの装着構造３０と、外付けレンズ５０及び前記本体１０の内部に装着された内蔵カメラ７０（図４を参照）と、を備える。ユーザーは、前記外付けレンズの装着構造３０を利用して、前記外付けレンズ５０を前記内蔵カメラ７０と互いに対面させるように、前記本体１０に固定する。前記外付けレンズ５０は、望遠レンズ及び広角レンズなどであることができ、前記内蔵カメラ７０と組み合せて使用される。本実施形態において、前記外付けレンズ５０は望遠レンズである。また、前記携帯式電子装置１００は、携帯電話及びダブレットパソコンなどであり、本実施形態においては、ダブレットパソコンを例として説明する。
【００１１】
図３を併せて参照すると、前記外付けレンズの装着構造３０は、前記本体１０にスライド可能に、且つ着脱可能に装着される取付部品３１と、前記取付部品３１にスライド可能に装着されるスライド部品３３と、第一締付部品３５と、第二締付部品３７と、を備える。前記外付けレンズ５０は、前記スライド部品３３に固定される。前記第一締付部品３５は、前記取付部品３１を前記本体１０に固定するために用いられ、前記第二締付部品３７は、前記スライド部品３３を前記取付部品３１に固定するために用いられる。
【００１２】
前記取付部品３１は、連接部３１１と、前記連接部３１１の一端から下方へ折り曲げられて延伸する固定片３１３及び前記連接部３１１の他端に垂直に連接されるレンズ装着部３１５と、を備える。前記固定片３１３及び前記レンズ装着部３１５は、前記連接部３１１の相反する両側で、互いに対面して位置するので、前記固定片３１３と前記レンズ装着部３１５との間には、第一凹溝３１７が形成される。前記取付部品３１全体は、該第一凹溝３１７を介して、前記本体１０の上端を挟むように、該本体１０にスライド可能に装着される。
【００１３】
前記固定片３１３には、第一組立柱体３１３３がさらに突設されており、その内側には前記第一締付部品３５を螺合させるための第一螺子穴３１３１が設けられている。該第一螺子穴３１３１は、前記第一組立柱体３１３３の軸方向に沿って設けられ、且つ前記第一組立柱体３１３３を貫通する。前記第一組立柱体３１３３は、前記第一螺子穴３１３１の長さを延長するために用いられるが、該第一組立柱体３１３３は、省略してもよい。
【００１４】
図４を併せて参照すると、前記レンズ装着部３１５は、スライド許容空間３１５１を備える。前記スライド部品３３は、前記スライド許容空間３１５１内で前記取付部品３１に対してスライドする。前記レンズ装着部３１５は、底板３１５２、前記底板３１５２の互いに反対側に位置する両側に設けられた２つの側壁３１５３と、２つの前記側壁３１５３を連接する端壁３１５５と、を備える。つまり、前記スライド許容空間３１５１は、前記底板３１５２、２つの前記側壁３１５３及び前記端壁３１５５によって形成されたものである。各々の前記側壁３１５３は、前記底板３１５２から垂直に延伸した後、前記底板３１５２の中央部（他方の側壁３１５３）に向かって所定の長さに折り曲げられて延伸している。これにより、２つの前記側壁３１５３と前記底板３１５２との間には第二凹溝３１５７がそれぞれ形成される。前記スライド部品３３の両端を、２つの前記第二凹溝３１５７内に収納して、前記スライド部品３３全体を、前記第二凹溝３１５７の延伸方向に沿って、且つ前記取付部品３１に対してスライド可能に装着する。この際、前記端壁３１５５は、２つの前記第二凹溝３１５７の一端をそれぞれ閉鎖し、前記スライド部品３３の前記スライド許容空間３１５１内でのスライドを制限して、前記スライド部品３３が前記スライド許容空間３１５１から滑り落ちることを防止する。
【００１５】
また、前記底板３１５２の略中央部には、楕円状の貫通穴３１５９が前記第二凹溝３１５７の延伸方向に沿って設けられている。該貫通穴３１５９は、前記スライド部品３３に固定される前記外付けレンズ５０と前記内蔵カメラ７０との間で行われる光線の伝送が妨げられるのを防ぐために用いられる。前記取付部品３１が前記本体１０に装着された際、前記固定片３１３及び前記レンズ装着部３１５は、前記本体１０の前記内蔵カメラ７０が位置する一端の互いに反対側に位置する両側にそれぞれ位置する。すなわち、内蔵カメラ７０は、前記固定片３１３と前記レンズ装着部３１５との間に位置する。前記取付部品３１を前記本体１０の幅方向に沿ってスライドさせることで、前記貫通穴３１５９の位置を調節して、該貫通穴３１５９と前記内蔵カメラ７０との位置を合わせることができる。
【００１６】
前記スライド部品３３には、２つのリブ３３１が間隔をあけて、且つ互いに平行に突設されている。２つの前記リブ３３１は、前記スライド部品３３の短辺に近接してそれぞれ設けられている。前記スライド部品３３が前記スライド許容空間３１５１内に装着された後、前記スライド部品３３の短手方向の両側は、前記第二凹溝３１５７内にスライド可能にそれぞれ収納され、各々の前記リブ３３１は、前記第二凹溝３１５７と隣接する。これにより、２つの前記リブ３３１を介して、前記スライド部品３３の両端を前記第二凹溝３１５７内にそれぞれ位置決めすることができる。
【００１７】
また、前記スライド部品３３には、螺合穴３３３が設けられており、該螺合穴３３３の内周面には、ねじ山が形成されている。前記スライド部品３３が前記取付部品３１に装着された後、前記螺合穴３３３は、前記貫通穴３１５９と重なる。前記外付けレンズ５０の一方側の端面には、スタッド５１（図３を参照）が突設され、前記スタッド５１には、前記外付けレンズ５０の内部まで延在する収容穴５１１が前記スタッド５１の軸方向に沿って設けられている。前記スタッド５１の外面には、前記螺合穴３３３の雌ねじと組み合わせる雄ねじが設けられている。これにより、前記外付けレンズ５０は、前記スライド部品３３に螺着することができる。
【００１８】
前記スライド部品３３を、前記貫通穴３１５９の延伸方向に沿ってスライドさせ、前記貫通穴３１５９を介して、前記螺合穴３３３と前記内蔵カメラ７０とを位置合わせする。つまり、前記外付けレンズ５０を前記螺合穴３３３に固定した後、前記貫通穴３１５９を介して、前記外付けレンズ５０と前記内蔵カメラ７０との位置を合わせる。なお、前記外付けレンズ５０を、係合などの固定方法によって前記スライド部品３３に固定することも可能である。
【００１９】
また、前記スライド部品３３には、第二組立柱体３３７が設けられており、その内側には、前記第二締付部品３７を螺合させるための第二螺子穴３３５が、前記第二組立柱体３３７の軸方向に沿って設けられている。また、該第二螺子穴３３５は、前記第二組立柱体３３７を貫通する。この第二組立柱体３３７は、前記第二螺子穴３３５の長さを延長させるために用いられるが、該第二組立柱体３３７を省略してもよい。
【００２０】
前記第一締付部品３５は、第一ボルト３５１及び第一ゴムマット３５３を備える。前記第一ボルト３５１は、互いに連接する第一螺着端３５１１及び第一操作端３５１３を備える。前記第一螺着端３５１１は、前記取付部品３１の前記第一螺子穴３１３１に螺合され、この際、該第一螺着端３５１１の自由端（第一螺着端３５１１における第一操作端３５１３から離れる側）は、前記固定片３１３の内面から突き出る（図５を参照）。ユーザーは、前記第一操作端３５１３を介して、前記第一ボルト３５１を回転する。また、前記第一ゴムマット３５３は、前記第一螺着端３５１１の端面に取り付けられる。
【００２１】
図５を併せて参照すると、前記取付部品３１を前記本体１０に組み立てた際、該取付部品３１の前記固定片３１３及び前記レンズ装着部３１５は、前記本体１０の互いに反対側に位置する両面にそれぞれ位置する。前記第一ボルト３５１を回転させると、前記第一ボルト３５１に固定された前記第一ゴムマット３５３は、前記本体１０に次第に近付き、そして最終的には前記本体１０に当接される。この際、前記本体１０は、前記レンズ装着部３１５と前記第一ボルト３５１の自由端に取り付けられた前記第一ゴムマット３５３との間に挟持されている。前記第一ゴムマット３５３は軟らかいゴム材料からなるため、前記第一ボルト３５１が前記本体１０の表面に傷をつけることを防止するだけでなく、より大きな摩擦力を付与して、前記取付部品３１が前記本体１０に対して移動することを防止することで、前記取付部品３１を前記本体１０に安定して固定させる。
【００２２】
前記第二締付部品３７は、第二ボルト３７１及び第二ゴムマット３７３を備える。前記第二ボルト３７１は、互いに連接する第二螺着端３７１１及び第二操作端３７１３を備える。前記第二ボルト３７１は、前記スライド部品３３の前記第二螺子穴３３５に螺合される。ユーザーは、前記第二操作端３７１３を介して前記第二ボルト３７１を回転させる。前記第二ゴムマット３７３は、前記第二螺着端３７１１の端面に取り付けられる。前記スライド部品３３を前記取付部品３１の前記スライド許容空間３１５１内に装着した後、前記第二ボルト３７１を回転させると、前記第二ゴムマット３７３は前記レンズ装着部３１５に次第に近付き、そして最終的には、前記取付部品３１の前記底板３１５２に緊密に当接される。前記第二ゴムマット３７３と前記底板３１５２との間の摩擦力によって、前記スライド部品３３を前記レンズ装着部３１５に対してスライドさせる際に、前記スライド部品３３の移動量をコントロールして、調節することができる。
【００２３】
前記外付けレンズの装着構造３０を使用する過程において、前記外付けレンズ５０を他の異なる外形の携帯式電子装置に装着する場合は、先ず、前記第一ボルト３５１を回転させて、前記第一ゴムマット３５３と前記本体１０との当接を解除した後、前記外付けレンズの装着構造３０及び該外付けレンズの装着構造３０に固定された前記外付けレンズ５０を前記本体１０から取り外せば良い。
【００２４】
また、前記外付けレンズ５０を他の携帯式電子装置に装着した後、前記取付部品３１の前記携帯式電子装置に対する位置を調節する（前記取付部品３１を携帯式電子装置の幅方向に沿ってスライドする）ことで、前記取付部品３１の前記貫通穴３１５９と前記携帯式電子装置の前記内蔵カメラ７０との位置を合わせることができる。次いで、前記スライド部品３３の前記スライド許容空間３１５１内での位置を調節すれば、前記スライド部品３３に固定された前記外付けレンズ５０の位置を、前記内蔵カメラ７０の位置に一致させることができる。従って、本発明の外付けレンズの装着構造３０は、外付けレンズを異なる外形の携帯式電子装置に固定することができるため、汎用性が高い。
【００２５】
以上、本発明の好適な実施形態について詳細に説明したが、本発明は前記実施形態に限定されるものではなく、本発明の範囲内で種々の変形、又は修正が可能であり、該変形、又は修正も本発明の特許請求の範囲内に含まれるものであることは言うまでもない。
【符号の説明】
【００２６】
１０              本体
３０              外付けレンズの装着構造
３１              取付部品
３３              スライド部品
３５              第一締付部品
３７              第二締付部品
５０              外付けレンズ
５１              スタッド
７０              内蔵カメラ
１００            携帯式電子装置
３１１            連接部
３１３            固定片
３１５            レンズ装着部
３１７            第一凹溝
３３１            リブ
３３３            螺合穴
３３５            第二螺子穴
３３７            第二組立柱体
３５１            第一ボルト
３５３            第一ゴムマット
３７１            第二ボルト
３７３            第二ゴムマット
５１１            収容穴
３１３１          第一螺子穴
３１３３          第一組立柱体
３１５１          スライド許容空間
３１５２          底板
３１５３          側壁
３１５５          端壁
３１５７          第二凹溝
３１５９          貫通穴
３５１１          第一螺着端
３５１３          第一操作端
３７１１          第二螺着端
３７１３          第二操作端
【図１】
2013097381.tif 000003
【図２】
2013097381.tif 000004
【図３】
2013097381.tif 000005
【図４】
2013097381.tif 000006
【図５】
2013097381.tif 000007